(57)【特許請求の範囲】
【請求項１】
器具本体に取付けた止め具によりセードが保持される照明器具であって、前記止め具が前記器具本体に貫通した軸の一端に設けられ、前記軸の他端から前記器具本体の周縁部に向かって延びるレバーが前記止め具と一体に固定され、前記レバーを前記軸周りに回転することにより、前記止め具が前記セードの肩部内面を着脱自在に保持可能とした照明器具において、
前記軸は前記軸を嵌挿させる内周面を孔部とした筒体を有するものであり、前記止め具と前記レバーの一方が前記軸に設けられ、他方が前記筒体に設けられ、前記軸の先端と前記筒体とをねじにより連結し、かつ、前記軸のセード側端部を前記止め具が係止する前記セードの肩部内面と同レベルの高さとしたことを特徴とする照明器具。
【請求項２】
止め具がセードの保持状態でレバーの先端が器具本体の周縁部に接し、止め具がセードの取外し状態でレバーの先端が器具本体の周縁部より突出するように、止め具とレバーの角度が設定されている請求項１記載の照明器具。
【発明の詳細な説明】
【０００１】
【発明の属する技術分野】
この発明は、照明器具に関するものである。
【０００２】
【従来の技術】
図８（ａ）は従来の照明器具の正面図、（ｂ）はそのセードを取外した状態の下面図、図９は従来の照明器具のセード取付構造を示す説明図である。
【０００３】
図８および図９に示すように、天井等に設置される照明器具において、器具本体５０に取付けた止め具５１によりセード５２が保持される。止め具５１は器具本体５０の対向位置の２箇所にあり、器具本体５０の径方向にスライドする。この場合、図９に示すように、器具本体５０の内面に沿ってスライドする止め具５１の基板部５１ａに器具本体５０から上方に突出するように操作部５３が設けてある。この操作部５３を持って止め具５１を外側へスライドさせることにより、セード５２の肩部を器具本体５０の周縁部と止め具５１で挟み込んだ状態で保持している。
【０００４】
【発明が解決しようとする課題】
しかしながら、上記従来の照明器具では、操作部５３が器具本体５０の上面に突出した状態であるため、天井面５５と器具本体５０の間に指が入るだけのスペースが必要となり、天井面５５と器具本体５０の隙間が大きくなるという問題があった。
【０００５】
また、操作部５０が見え難いのでセード５２の取付構造が一見して判別できない構成であった。そのため、セード５２が止め具５１により保持されるていることを確認することが困難であり、またセード５２の着脱時の作業性も低下していた。
【０００６】
したがって、この発明の目的は、天井面と器具本体の隙間を小さくして、セードの取付構造が一見して判別できる照明器具を提供することである。
【０００７】
【課題を解決するための手段】
上記課題を達成するためにこの発明の請求項１記載の照明器具は、器具本体に取付けた止め具によりセードが保持される照明器具であって、前記止め具が前記器具本体に貫通した軸の一端に設けられ、前記軸の他端から前記器具本体の周縁部に向かって延びるレバーが前記止め具と一体に固定され、前記レバーを前記軸周りに回転することにより、前記止め具が前記セードの肩部内面を着脱自在に保持可能とした照明器具において、
前記軸は前記軸を嵌挿させる内周面を孔部とした筒体を有するものであり、前記止め具と前記レバーの一方が前記軸に設けられ、他方が前記筒体に設けられ、前記軸の先端と前記筒体とをねじにより連結し、かつ、前記軸のセード側端部を前記止め具が係止する前記セードの肩部内面と同レベルの高さとしたことを特徴とするものである。
【０００８】
このように、止め具が器具本体に貫通した軸の一端に設けられ、軸の他端から器具本体の周縁部に向かって延びるレバーが止め具と一体に固定されているので、レバーは器具本体の周縁部より外側の部分を持って操作することができる。このため、天井面と器具本体の隙間に手指を入れる必要はなく、レバーの厚みが入るだけの寸法があればよいので隙間を極力小さくできる。また、レバーは外観上見える位置にあり、レバーを軸周りに回転することにより止め具がセードの肩部内面を保持するので、一見してセードが止め具により保持されていることを確認できる。
また、レバーと止め具がねじ止めされているので、レバーと止め具の器具本体への取外けがねじ止めにより容易に行える。また止め具とレバーの角度の調整が可能となる。
【０００９】
請求項２記載の照明器具は、請求項１において、止め具がセードの保持状態でレバーの先端が器具本体の周縁部に接し、止め具がセードの取外し状態でレバーの先端が器具本体の周縁部より突出するように、止め具とレバーの角度が設定されている。このように、止め具がセードの保持状態でレバーの先端が器具本体の周縁部に接し、止め具がセードの取外し状態でレバーの先端が器具本体の周縁部より突出するように、止め具とレバーの角度が設定されているので、通常、レバーは器具本体側に配置されることで不意に押されて回転することを防止でき、確実にセードを保持できる。また、セードの取外し時は、レバーを器具本体の周縁部より外側へ回転させるため操作性が良く、またレバーが突出した状態となるので止め具の状態が一層判別しやすくなる。
【００１１】
【発明の実施の形態】
この発明の実施の形態の照明器具を図１ないし図６に基づいて説明する。図１（ａ）はこの発明の実施の形態の照明器具の正面図、（ｂ）はそのセードを取外した状態の下面図、図２はこの実施の形態の照明器具のセード取付構造を示す断面図、図３はこの実施の形態の照明器具のセードの取付説明図である。
【００１２】
図１において、１は器具本体、２はセード、３は止め具、４はレバー、５はソケット、６はランプ支持ばね、７は安定器、８はランプである。器具本体１は天井面に近接して設置され、その周縁部１ａ近傍に取付けた止め具３によりセード２が保持される。この場合、止め具３は略同心円上に等間隔で３箇所に配置されている。各止め具３は、図２に示すように器具本体１に貫通した軸１０の一端に設けられ、軸１０の他端から器具本体１の垂下した周縁部１ａに向かって延びるレバー４が止め具３と一体に固定されている。そして、レバー４を軸１０周りに回転することにより、止め具３がセード２の肩部内面を着脱自在に保持可能としている。
【００１３】
レバー４と軸１０は一体に形成され、レバー４の先端に器具本体１の周縁部１ａに当接するように折曲した操作部４ａが設けてある。レバー４の軸１０の周囲には突部１５が設けてあり、軸１０が貫通する器具本体１の穴１６の周縁部に当接することで、接触面積を小さくしてレバー４の回転を容易にしている。また、止め具３がセード２の保持状態で操作部４ａが器具本体１の周縁部１ａに接し、止め具３がセード２の取外し状態で操作部４ａが器具本体１の周縁部１ａより突出するように、止め具３とレバー４の角度が設定されている。
【００１４】
止め具３は図２に示すように軸１０が嵌挿される内周面を孔部３ａとした筒体３ｂを有し、軸１０の下端に筒体３ｂをねじ１１により固定している。このねじ１１により止め具３とレバー４の角度は調整可能である。セード２の保持状態では、止め具３の先端は器具本体１の周縁部１ａの外側に折曲した下端と対向し、セード２の肩部を挟持することができる。
【００１５】
また、ランプ８は丸管ランプであり、ソケット５とランプ支持ばね６により取付けられている。図４はランプ支持ばねにランプを取付ける説明図、図５（ａ）はランプ支持ばねの正面図、（ｂ）はその側面図、（ｃ）はその背面図、図６（ａ）はランプ支持ばねの取付説明図、（ｂ）はランプ支持ばねを取付ける器具本体側の形状を示す概略図である。図４に示すように、ランプ８を下方より押し上げ、ランプ支持ばね６に押し込むことにより取付ける。このランプ支持ばね６は、ポリプロピレン等の材質で形成され、図５および図６に示すようにランプ８を支持する略Ｕ字形の支持部６ａと、器具本体１の内面に接する取付板６ｂと、器具本体１に設けた長穴１２に取付けられる脚部６ｃとを有する。長穴１２は器具本体１の径方向に長く、脚部６ｃは長穴１２に挿通可能であるとともに９０度回転することで長穴１２の開口縁部に係止される。また、ランプ支持ばね６の取付状態で回り止め用の半月ダボ１３が器具本体１に設けてある。取付時には、ランプ支持ばね６の脚部６ｃを長穴１２に差込み上記のように回転させることにより固定する。固定後は長穴１２の範囲内にてランプ支持ばね６が可動し、ランプ８の外径寸法のばらつきに対応可能である。これに伴いランプ支持ばね６に応力が加わらない。
【００１６】
次にセードの着脱について説明する。図３に示すように、通常、レバー４は器具本体１側に配置され、止め具３がセード２の肩部に位置してこれを保持する。このとき、レバー４の操作部４ａは器具本体１の周縁部１ａに接して配置されることで不意に押されて回転することを防止でき、確実にセード２を保持できる。また、セード２の取外し時は、レバー４を回転させることで、止め具３がセード２の肩部の位置から器具本体１側に移動する。このとき、レバー４を器具本体１の周縁部１ａより外側へ回転させるため操作性が良く、またレバー４が突出した状態となるので止め具３の状態が一層判別しやすくなる。
【００１７】
以上のようにこの実施の形態によれば、止め具３が器具本体１に貫通した軸１０の一端に設けられ、軸１０の他端から器具本体１の周縁部１ａに向かって延びるレバー４が止め具３と一体に固定されているので、レバー４は器具本体１の周縁部１ａより外側の部分を持って操作することができる。このため、天井面と器具本体１の隙間に手指を入れる必要はなく、レバー４の厚みが入るだけの寸法があればよいので隙間を極力小さくできる。また、レバー４は外観上見える位置にあり、レバー４を軸１０周りに回転することにより止め具３がセード２の肩部内面を保持するので、一見してセード２が止め具３により保持されていることを確認できる。
【００１８】
なお、図２ではレバー４側に軸１０を設けたがこれに限定しない。例えば、止め具３側に軸を設けてこの軸を嵌挿する筒体の孔部をレバー４側に設けてもよい。また、軸を嵌挿する筒体はなくてもよく、またねじ以外の固定手段で固定してもよい。また、止め具３およびレバー４を３箇所に設けたが、２箇所でもよく、また４箇所以上でもよい。
【００１９】
図７（ａ）はこの発明の別の実施の形態の照明器具のセードを取外した状態の正面図、（ｂ）はその下面図である。図７に示すように、止め具３およびレバー４を器具本体１の対向位置に２箇所設けてある。また、ランプ支持ばね６がソケット５に対向するように１つだけ設けてある。この実施の形態ではランプ装着時、ソケット５側にランプ８を引っ張る操作でも荷重が緩和できる。その他の構成は前記実施の形態と同様である。
【００２０】
【発明の効果】
この発明の請求項１記載の照明器具によれば、止め具が器具本体に貫通した軸の一端に設けられ、軸の他端から器具本体の周縁部に向かって延びるレバーが止め具と一体に固定されているので、レバーは器具本体の周縁部より外側の部分を持って操作することができる。このため、天井面と器具本体の隙間に手指を入れる必要はなく、レバーの厚みが入るだけの寸法があればよいので隙間を極力小さくできる。また、レバーは外観上見える位置にあり、レバーを軸周りに回転することにより止め具がセードの肩部内面を保持するので、一見してセードが止め具により保持されていることを確認できる。
また、レバーと止め具がねじ止めされているので、レバーと止め具の器具本体への取外けがねじ止めにより容易に行える。また止め具とレバーの角度の調整が可能となる。
【００２１】
請求項２では、止め具がセードの保持状態で止め具がセードの保持状態でレバーの先端が器具本体の周縁部に接し、止め具がセードの取外し状態でレバーの先端が器具本体の周縁部より突出するように、止め具とレバーの角度が設定されているので、通常、レバーは器具本体側に配置されることで不意に押されて回転することを防止でき、確実にセードを保持できる。また、セードの取外し時は、レバーを器具本体の周縁部より外側へ回転させるため操作性が良く、またレバーが突出した状態となるので止め具の状態が一層判別しやすくなる。
【図面の簡単な説明】
【図１】（ａ）はこの発明の実施の形態の照明器具の正面図、（ｂ）はそのセードを取外した状態の下面図である。
【図２】この実施の形態の照明器具のセード取付構造を示す断面図である。
【図３】この実施の形態の照明器具のセードの取付説明図である。
【図４】ランプ支持ばねにランプを取付ける説明図である。
【図５】（ａ）はランプ支持ばねの正面図、（ｂ）はその側面図、（ｃ）はその背面図である。
【図６】（ａ）はランプ支持ばねの取付説明図、（ｂ）はランプ支持ばねを取付ける器具本体側の形状を示す概略図である。
【図７】（ａ）はこの発明の別の実施の形態の照明器具のセードを取外した状態の正面図、（ｂ）はその下面図である。
【図８】（ａ）は従来の照明器具の正面図、（ｂ）はそのセードを取外した状態の下面図である。
【図９】従来の照明器具のセード取付構造を示す説明図である。
【符号の説明】
１  器具本体
２  セード
３  止め具
４  レバー
５  ソケット
６  ランプ支持ばね
８  ランプ
１０  軸
１１  ねじ
【図１】
0004329223.tif 000002
【図２】
0004329223.tif 000003
【図３】
0004329223.tif 000004
【図４】
0004329223.tif 000005
【図５】
0004329223.tif 000006
【図６】
0004329223.tif 000007
【図７】
0004329223.tif 000008
【図８】
0004329223.tif 000009
【図９】
0004329223.tif 000010